(57)【特許請求の範囲】
【請求項１】
撮像レンズ系と、フィルムが配置される結像面と、該フィルムの前記撮像レンズ側の面を覆うシャッタ板と、を有する撮影光学系装置と、
該撮影光学系装置の光路中に退避可能に配置され回転動作によって退避する回転ミラーと、該回転ミラーによって反射された撮影光束を下面から入射させて進行方向を変換して出射させるペンタプリズムと、該ペンタプリズムから出射した撮影光束を観察するためのファインダとを含むファインダ系装置と、
前記ペンタプリズムの近傍であって、前記回転ミラーの回転に伴って該回転ミラーにより反射された撮影光束が横切る位置に設けられたラインセンサと
を備えた撮像装置。
【請求項２】
前記ラインセンサは、前記ペンタプリズムの下面上または下面の延長上に配置されている
請求項１に記載の撮像装置。
【請求項３】
前記ラインセンサは、前記ペンタプリズムの反射面のいずれかに近接して配置されている
請求項１に記載の撮像装置。
【請求項４】
さらに、自動露出機構を有しており、
前記ラインセンサは、前記自動露出機構により得られた自動露出情報を用いて、前記ラインセンサの駆動期間を設定する駆動期間設定回路を含む
請求項１から３までのいずれか１項に記載の撮像装置。
【請求項５】
前記露光期間設定回路は、
前記回転ミラーが前記光路から退避する際と、前記光路内に復帰する際のうちの少なくともいずれか一方の期間内に前記駆動期間を設定する回路である
請求項４に記載の撮像装置。
【発明の詳細な説明】
【０００１】
【発明の属する技術分野】
本発明は、撮像装置に関し、特に一眼レフカメラとラインセンサとを備えた撮像装置に関する。
【０００２】
【従来の技術】
一眼レフカメラは、最も一般的に用いられているカメラの１種である。図８を参照して一眼レフカメラの構造について簡単に説明する。図８に示すように、一眼レフカメラＡは、撮像レンズ１００と、ペンタプリズム１０３と、シャッタ板１０５と、回転ミラー１０７とを備えている。回転ミラー１０７の後方には、結像面（フィルム）１１３が配置される。フィルム１１３と回転ミラー１０７の間にシャッタ板１０５が設けられている。
【０００３】
回転ミラー１０７は、その上端部付近に回転軸１０７ａを有している。回転ミラー１０７は、撮像レンズ１００の後方であって、撮影光束Ｌの進行方向を含む水平面に対して例えば４５度の角度を有して配置される。この位置を初期位置と称する。回転ミラー１０７が光路を遮らない状態では、シャッタ板１０５が開いた時、撮影光束は直進し、フィルムが配置されるべき結像面上に像が結像される。
【０００４】
回転ミラー１０７の上方にはペンタプリズム１０３が、例えば水平面と平行な下面を有するように配置されている。回転ミラー１０７が図示の位置にある時は、撮影光束が光路を遮り、撮影光束は回転ミラー１０７により反射してペンタプリズムに入射する。ペンタプリズム１０３により進行方向を変換した撮影光束に基づく像は、人間の目によって捉えられるようになっている。
【０００５】
次に、上記一眼レフカメラの操作法について説明する。
【０００６】
初期位置にある回転ミラー１０７により反射され、ペンタプリズム１０３により位置が変えられた撮影光束Ｌに基づいて形成される像を、フィルム面１１３とは異なる位置に設けられたファインダ１１７から観察することにより構図を決定する。構図が決まると、シャッタボタンを半押しする。シャッタボタンの半押し状態において、測距（ＡＦ）、測光（ＡＥ）動作を行う。シャッタボタンを全押しすると、回転ミラー１０７の反射面がペンタプリズム１０３の下面１０３ａに近接する方向に回転を開始する。像がファインダ１１７からは見えなくなる。光路を遮らない位置まで回転ミラー１０７を回転した後に、フィルム面前に配置されているシャッタ板１０５が動き、フィルム面１１３が露出する。被写体１１５に基づいて形成される像１２１がフィルム面１１３に結像する。フィルム面１１３が露光される。その後、シャッタ板１１５が再びフィルム
面１１３を覆う位置に戻る。次いで、回転ミラーが回転して初期位置に戻る。以上の動作により一連の撮影作業が終了する。一眼レフカメラにおいては、フィルムを用いているため高画質の写真を撮影することができる。
【０００７】
【発明が解決しようとする課題】
上記の一眼レフカメラでは、高画質の写真を得ることができるが、フィルムを現像するまでは、撮影済みの画像を確認することができないという問題点がある。デジタルスチルカメラでは、モニタ画像などにより撮影画像を確認できるものが存在するが、画質の点においてはまだフィルムを用いたカメラには及ばない。
【０００８】
本発明は、一眼レフカメラに少しの機能を付加するだけで、高画質でかつ即時性をも有する新しいデジタルカメラを提供することを目的とする。
【０００９】
【課題を解決するための手段】
本発明の一観点によれば、撮像レンズ系と、フィルムが配置される結像面と、該フィルムの前記撮像レンズ側の面を覆うシャッタ板と、を有する撮影光学系装置と、該撮影光学系装置の光路中に退避可能に配置され回転動作によって退避する回転ミラーと、該回転ミラーによって反射された撮影光束を下面から入射させて進行方向を変換して出射させるペンタプリズムと、該ペンタプリズムから出射した撮影光束を観察するためのファインダとを含むファインダ系装置と、前記ペンタプリズムの近傍であって、前記回転ミラーの回転に伴って該回転ミラーにより反射された撮影光束が横切る位置に設けられたラインセンサとを備えた撮像装置提供される。
【００１０】
上記の撮像装置を用いると、ペンタプリズム側に向かい回転ミラーの回転に伴いラインセンサ上を移動する撮影光束をラインセンサにより取り込み、デジタル画像データを得ることができる。
【００１１】
【発明の実施の形態】
本明細書において、撮像レンズの光軸と水平なある面を水平面と称する。また、撮影光束とは、被写体と撮像レンズを含む光学系に基づいて得られる光信号であり、この撮影光束をフィルム上に結像させると像となる。撮影光束をペンタプリズムに向けると、ペンタプリズムの光学面に結像し、これをファインダから覗けば被写体の様子を確認することができる。
【００１２】
一眼レフカメラのシャッタボタンを押すと回転する回転ミラーが回転する。発明者は、回転ミラーにより反射しペンタプリズムに向かう撮影光束が移動することを利用して撮像することを思いついた。撮影光束の移動範囲内に、ラインセンサを取り付けておけば、ラインセンサによる撮像が可能である。
【００１３】
以下、上記の考察に基づき、本発明の第１の実施の形態による撮像装置について、図１から図８までを参照して説明する。
【００１４】
図１は、本実施の形態による撮像装置の構造を簡略化して示した原理図である。図２（Ａ）から（Ｃ）までは撮像装置の動作を説明するための図である。図３は本実施の形態による撮像装置に用いられるラインセンサの平面図であり、図４は図３のＩＶ−ＩＶ'断面図である。図５は、撮像装置の機能ブロック図である。図６及び図７は、撮像装置の動作を説明するための概念図とタイミングチャート図である。
【００１５】
図１に示すように、撮像装置Ｂは、撮像レンズ１と、ペンタプリズム２と、シャッタ板４と、回転ミラー５とを備えている。回転ミラー５は、撮像レンズ１の後方に水平面に対して４５度の角度を有して配置される。回転ミラー５の後方には、結像面（フィルム）３が配置されている、フィルム３と回転ミラー５との間にシャッタ板４が設けられている。
【００１６】
回転ミラー４５の上方には、撮影光束Ｌの進行方向（水平面）と平行な下面２
ａを有するペンタプリズム２が設けられている。
【００１７】
回転ミラー５が撮像レンズ１とフィルム３との間の光路を遮る状態にある場合は、図示のように撮影光束は回転ミラー５により反射し、ペンタプリズム２に入射する。ペンタプリズム２から出射する光は、進行方向を変換し、ファインダ６により撮影者の目に捉えられやすい位置に移動する。
【００１８】
回転ミラー５が回転軸５ａを中心として光路を遮らない位置まで回転すると、一点鎖線で示すように、撮影光束はフィルム面３側に向けて直進する。
【００１９】
本実施の形態による撮像装置Ｂは、ペンタプリズム２の下面２ａ上或いは下面２ａの延長上であって、撮像レンズ１を基準にして被写体７とは反対側の端部近傍に設けられたラインセンサ８を備えている。ラインセンサ８は、ミラー５の回転に伴って（図１においてミラー５が回転して下面２ａと平行な位置５ａになるまでの期間のうちの所定期間内に）被写体７の全像がラインセンサを横切る位置に取り付けられる。すなわち、ラインセンサ８は、光路と水平な下面に光路と水平な表面をもつように取り付けられている。
【００２０】
図２（Ａ）から図２（Ｃ）までは、撮像装置Ｂの動作を説明するための動作原理図である。図２（Ａ）に示すように、水平面に対して成す角度が例えばθ＝４５度に配置された回転ミラー５が撮像レンズ１とフィルム３との間の光路を遮る。初期位置にある回転ミラー５によって反射した被写体７の像は、ペンタプリズム２の下面２ａに結像する（像Ｉ1）。この像Ｉ1を、ペンタプリズム２を介してファインダー６から見ることができる。ファインダ６で構図を確認し、次いで撮像動作に入る。
【００２１】
シャッタボタンを半押しすると、測距、測光の動作が行われる（ＡＥ及びＡＦ作業）。
【００２２】
次に、シャッタボタンを全押しすると、回転軸５ａを中心としてペンタプリズム２の下面２ａに反射面が接近する方向に回転ミラー５が回転する。回転ミラー５の回転動作に伴い、ペンタプリズム２の下面２ａに向かう撮影光束に基づいて形成される像Ｉ2がラインセンサ８の取り付けられている方向に向けて移動を開始する。図２（Ｂ）に示すように、像Ｉ2がラインセンサ８を横切る。
【００２３】
図２（Ｃ）に示す状態は、像Ｉ2全体がラインセンサ８を横切り、回転ミラー５が光路を遮断しない位置まで回転した状態を示している。この状態で、シャッタ板４が移動しフィルム面３が露出する。被写体による撮影光束に基づく像Ｉ3がフィルム面３に結像し、フィルム面３が露光される。
【００２４】
次いで、シャッタ板４がフィルム面３を覆い、続いて図２（Ｂ）に示す状態を経て図２（Ａ）に示す初期位置に戻る。戻りの動作中においても、回転ミラー５により反射された像Ｉ２がラインセンサ８上を横切る。
【００２５】
図３を参照して、ラインセンサの具体的な構造を示す。図３は、撮像部に形成されているフォトダイオード群１５と、このフォトダイオード群１５に沿って形成された電荷転送路２０と、フォトダイオード群１５に沿って形成された横型オーバーフロードレイン２５とを概略的に示す図である。
【００２６】
フォトダイオード群１５は、半導体基板上に形成された複数個のフォトダイオード１６で形成されている。
【００２７】
電荷転送路２０は、２相駆動型のＣＣＤによって構成されている。この電荷転送路２０は、半導体基板上に形成された１本の電荷転送用チャネル２１と、半導体基板上に電気的絶縁膜を介して形成された多数本の転送電極２２ａ、２２ｂ、２２ｃ、２２ｄと、フォトダイオード１６の各々に１個ずつ形成された読出ゲート用チャネル２３と、各読出ゲート２３上を覆う読み出しゲート電極２４とを含む。
【００２８】
転送電極２２ａ、２２ｂ、２２ｃ、２２ｄの各々は、１個のフォトダイオード１６にそれぞれ１本ずつ、図において左から右にかけてこの順番で繰り返し形成されている。
【００２９】
横型オーバーフロードレイン２５が、半導体基板に形成されたドレイン領域２６と、フォトダイオード１６とドレイン領域２６との間の半導体基板で形成された掃出用チャネル領域２７と、半導体基板上に絶縁膜を介して形成された掃出ゲート電極２８とを含む。
【００３０】
ドレイン領域２６は、例えば半導体基板に形成されたｎ+ 型領域によって構成される。このドレイン領域２６は、フォトダイオード群１５から所定距離だけ離れて形成されて、長手方向Ｄ１に延在する。
【００３１】
掃出用チャネル領域２７は、半導体基板におけるｐ型ウェルの一領域によって形成されている。この掃出用チャネル用領域２７は、フォトダイオード群１５とドレイン領域２６との間においてこれらに隣接しつつ形成されて、長手方向Ｄ１に延在する。
【００３２】
尚、電荷転送路２０の左端には、出力アンプ３１が配設されている。この出力アンプ３１は、周辺回路部３０ａ内に位置する。
【００３３】
フォトダイオード１６に光が入射すると、このフォトダイオード１６に電荷が蓄積される。転送電極２２ａ、２２ｂ、２２ｃ、２２ｄおよび読出ゲート電極２４にそれぞれ所定の電圧を印加すると、フォトダイオード１６に蓄積されていた電荷が読出ゲートを介して電荷転送路２０に移送される。フォトダイオード１６に蓄積されている電荷を排出するときには、掃出ゲート電極２８に所定の電圧が印加すれば良い。
【００３４】
各フォトダイオード１６の上にはパッシベーション膜が形成される。その上には、開口部を有する光遮蔽膜が形成される。各フォトダイオード群１６の上方には、それぞれ所定色、例えばＲＧＢの色フィルタによって構成される色フィルタ５２Ｒ、５２Ｇ及び５２Ｂ１が１つずつ形成されている。尚、色フィルタ５５Ｂ２は、白黒の画像を撮像するために用意されている画素であり、任意に設けられる。ここでは、青色の色フィルタを用いたが、後の信号処理の過程で色信号を分離し輝度信号のみを用いるので、色フィルタは設けなくても良い。
【００３５】
図４にラインセンサを含む固体撮像装置のブロック図を示す。固体撮像装置Ｂ'は、信号処理回路６１と、駆動回路６３と、制御部６５と、記憶部６７と、ラインセンサ８と、シャッタボタン（シャッタトリガ部）６８とを含む。
【００３６】
制御部６５がシャッタトリガ信号６８を受けると、制御部６５が、駆動回路６３に対してラインセンサ８を駆動するための駆動パルスを出力する。この駆動パルスにより、ラインセンサ８による露光・読み出しが行われる。ラインセンサ８からの出力信号は、エミッタフォロワ回路を介して信号処理回路６１に出力される。信号処理回路６１は、例えば相関二重サンプリング回路ＣＤＳと、Ａ／Ｄ変換器とを含み、デジタル画像データを形成する。Ａ／Ｄ変換されたデジタル画像データを、オートホワイトバランス調整回路６１ａを用いてオートホワイトバランス（ＡＷＢ）をとる。
【００３７】
さらに、固体撮像装置Ｂ'は、自動露出調整機構（ＡＥ）７１を備えている。自動露出調整機構７１は、通常の一眼レフカメラに設けられている一般的なＡＥ機構である。このＡＥ機構は、例えばフォトダイオードなどの光量モニタを有している。通常の一眼レフカメラでは、光量モニタによりモニタリングされた光量に基づいて、シャッタ速度などを調整する。固体撮像装置Ｂ'では、併せて、上述のラインセンサに設けられた横型オーバーフロードレインのようないわゆる電子シャッタ機構のオン・オフのタイミングを、上記の光量モニタによりモニタ燐府された光量に基づいて決定することができる。すなわち、自動露出機構７１により得られた自動露出情報に基づき、駆動期間設定回路７３が、駆動回路６３に対してラインセンサを駆動すべき期間を指定する信号を出力する。
【００３８】
信号処理回路６１に含まれるデジタルシグナルプロセッサ回路（ＤＳＰ）６１ｂにおいてデータの所定の画像処理が行われる。画像処理されたデータは、例えば記憶部６７に記憶される。制御部６５は、信号処理回路６１の命令を受けて、ラインセンサ８の露光制御・複数ラインのデータ管理などを司る。
【００３９】
ラインセンサ８とともに追加する回路は小規模な回路であり、一眼レフカメラのカメラボディ内に存在する空間内に十分収容できる大きさである。従って、一眼レフカメラに根本的な構造変更を強いるものではない。もちろん、既製の一眼レフカメラを改造しても良い。その際の改造の程度は少なくてすむ。
【００４０】
図５に、ラインセンサ８の位置と、回転ミラーの回転に伴いラインセンサ上を移動する撮影光束による像Ｉ2の位置関係を示す。図中の矢印Ｍ１は、回転ミラーがペンタプリズムの下面に近づく方向（時計回り）に回転移動する際の像Ｉ2の移動方向を示す。矢印Ｍ２は、回転ミラーが初期位置に戻る際の像Ｉ2の移動方向を示す。本実施の形態による撮像装置は、Ｍ１とＭ２との２度の撮影機会を有している。
【００４１】
図６は、撮像装置に含まれる（ａ）シャッタの動作タイミング、（ｂ）ミラーの動作タイミング、（ｃ）フィルム露光期間、（ｄ）ラインセンサの駆動期間のタイミングを示すタイミングチャート図である。図５をも参照して動作について説明する。
【００４２】
まず、時間ｔ1において、シャッタボタン６８が押され、シャッタのトリガパルスが制御部６５に入力する。回転ミラーが初期位置から回転を始める。次いで、時間ｔ2から時間ｔ3までの間、回転ミラーが回転する。この回転ミラーの回転により撮影光束がラインセンサ８上を移動する期間を含む所定の期間内で、ラインセンサ８を駆動する。ラインセンサ８は、時間とともに移動する撮影光束に基づく光学的な画像データを電気的な画像データに変換する。時間ｔ4においてミラーの回転が停止する。時間ｔ5からｔ6までの間に、シャッタ板が移動し、フィルム面が露出する。撮影光束がフィルム面に結像し、フィルム面上に露光される。時間ｔ7において、回転ミラーが初期位置に戻る動作を開始する。時間ｔ8から時間ｔ9までの間に、回転ミラーが回転することによる撮影光束の移動に伴い、ラインセンサ８を駆動させても良い。時間ｔ10においてミラーの回転が停止する。
【００４３】
以上の一連の動作により、フィルム面に被写体の像が露光されるとともに、ラインセンサにより被写体のデジタル画像データが得られる。このデジタル画像データに基づいてデジタル画像を表示することができる。
【００４４】
尚、ラインセンサは、上述のように２回の撮影機会をもつが、いずれかの撮影機会を選択すれば１つのデジタル画像が得られる。撮影者が構図を決め、シャッタを押した時点からの期間が短いという点では、Ｍ１により得られた画像が好まれるであろう。また、Ｍ１とＭ２との両方の画像を記録することで、フィルムに記録された画像（潜像）の前後の画像を確認することができ、撮影者により大きな安心感を与えることができる。
【００４５】
尚、メモリ６７に蓄積される画像は、Ｍ１とＭ２とで上下反転する。また、ラインセンサでの蓄積時間（露光時間）である（ｔ３−ｔ２）又は（ｔ９−ｔ８）は、一眼レフカメラに付属するＡＥ（露光調整情報）を利用して設定することができる。前述のように、一眼レフカメラに付属するＡＥ（露光調整情報）を利用すれば、ラインセンサへの入射光の光量を予め推測することができる。尚、ラインセンサとフィルムとでは感度が異なるので、ラインセンサの光量を算出する場合には、フィルムカメラにおいて用いられる露光期間に対して所定の係数を乗算する必要がある。この係数はカメラごとに決まっており、工場出荷時に係数を設定することも可能である。
【００４６】
一眼レフカメラ本体又は別途準備された表示モニタに、取り込んだデジタル画像データを表示させれば、撮影後に直ちに撮影画像を確認することが可能である。確認の結果、満足のいく画像が得られていれば、フィルム上にも満足のいく画像が撮影できていると判断するための目安になる。モニタに表示させた画像が満足いくものでなかった場合には、フィルム上に露光された画像も同様に満足のいくものではないと判断できる。撮影者は、同様の構図でもう一度撮影しておく必要があることを知る。尚、画像モニタをカメラに内蔵させてデジタル画像を表示させても良い。
【００４７】
以上に説明したように、本実施の形態による撮像装置を用いると、一眼レフカメラにわずかな構造上の追加を行うだけで、フィルムに露光された画像が満足であるか否かの目安を得ることができる。さらに、ラインセンサにより取り込まれたデジタル画像データ自体も、通常のデジタルスチルカメラの場合と同様にデジタルデータとして利用することができる。もちろん、通常のデジタルスチルカメラと同様に、画像圧縮機能などを付加することも可能である。
【００４８】
次に、ラインセンサによる１画面の取り込み時間について考察する。ここで、縦方向に１８００画素、横方向に１２００画素、合計２１６万画素のフルカラー画像を取り込む場合を考える。
【００４９】
スキャンのサイズとして１３５サイズ（３６ｍｍ×２４ｍｍ）を前提とする。ＲＧＢの１色ずつに対して、１フレームが１２００ラインであり、かつ、１ラインに１８００画素が並んでいると仮定する。Ｒ，Ｇ，Ｂ３色で３ラインが並列しているものとする。加えて、各ラインセンサには、画素が２０μｍピッチで並んでいると仮定する。１画素当たりの処理時間が２０ＭＨｚであると仮定する。
【００５０】
上記仮定によれば、１ラインごとの走査速度は、１８００／（２０×１０6）＝９０μｓ／ラインとなる。１フレームは１２００ラインであるから、１フレーム期間は、１２００×９０×１０-6ｓ、すなわち、１０８ｍｓと計算できる。
【００５１】
１回の撮影機会に対して１０８ｍｓの期間を確保できれば、２１６万画素相当のフルカラーの画像を得ることができる。各ラインは並列動作する。各ラインの位置は、画像に対して例えば１００μｓ程度シフトしており、それを考慮すると約１２０ｍｓの期間となる。
【００５２】
次に、本発明の第２の実施の形態による撮像装置について、図７を参照して説明する。図７に示すように、撮像装置Ｃは、図１に示す撮像装置と基本的に同様の構造を有している。すなわち、撮像レンズ１と、ペンタプリズム２と、シャッタ板４と、回転ミラー５と、ファインダ６とを備えている。
【００５３】
回転ミラー５の後方には、結像面（フィルム）３が配置されている、フィルム３と回転ミラー５との間にシャッタ板４が設けられている。
【００５４】
本実施の形態による撮像装置Ｃは、ペンタプリズム２の上面２ｂが、ファインダー６への光路としては全反射条件を満たさずに、反射光の他に、一部の光は透過してしまうプリズムを有している装置の例である。この撮像装置Ｃでは、ペンタプリズム２の上面２ｂであって、被写体７とは反対側の端部近傍にラインセンサ８を設けている。ラインセンサ８は、ペンタプリズム２の上面２ｂにおける一部透過光を受光する。ラインセンサ８は、回転ミラー５の回転に伴って（図１において回転ミラー５が回転して下面２ａと平行な位置５ａになるまでに）被写体７の全像がラインセンサを横切る位置に取り付けられる。すなわち、ラインセンサ８は、光路と垂直な方向であって、表面をペンタプリズムの上面２ｂと水平でかつ撮像面を下方に向けて取り付けられている。ラインセンサ８とペンタプリズムの上面２ｂとを光学系の接着剤を用いて張り付けても良い。
【００５５】
撮像装置Ｃにおいても、ペンタプリズムの下面２ａに回転ミラーにより反射した撮影光束に基づく像が結像する。この像による光束の変化はペンタプリズムの上面２ｂにも影響する。本実施の形態による撮像装置は、ペンタプリズムの上面２ｂにおける光束の変化をラインセンサ５によって感知する。この上面２ｂに向かう撮影光束もペンタプリズムの下面に結像する像を形成する撮影光束と同様の輝度と色相とを有している。従って、上面に向かう撮影光束をラインセンサにより撮像すれば、フィルム面上に形成されるべき像と対応するデジタル画像データを得ることができる。
【００５６】
この場合には、ラインセンサ８がペンタプリズム２の反射位置に設けられているため、ラインセンサを横切る像は鏡像である。従って、メモリへの書き込み又は読み出し時に実像の画像に変換する処理を行う必要がある。
【００５７】
以上、本発明の実施の形態について例示したが、上記例示は制限的な意味を有さない。その他、種々の変更、改良、組み合わせ等が可能なことは当業者には自明であろう。
【００５８】
【発明の効果】
本発明による撮像装置によれば、一眼レフカメラで撮影しフィルム上に露光された画像と対応するデジタル画像データを得ることができる。このデジタル画像データに基づく画像を表示させれば、フィルムの現像前に撮影がうまくいったかどうかを確認することができる。また、このデジタル画像データを記録し、デジタル画像の形成のために用いることができる。
【図面の簡単な説明】
【図１】  本発明の第１の実施の形態による撮像装置の簡単な構成を示す概略図である。
【図２】  図２（Ａ）から（Ｃ）までは、本発明の第１の実施の形態による撮像装置の動作原理図である。
【図３】  ＣＣＤラインセンサの平面図である。
【図４】  本発明の第１の実施の形態による撮像装置の機能ブロック図である。
【図５】  本発明の第１の実施の形態による撮像装置のうちラインセンサを像が横切る際の様子を示す概略図である。
【図６】  本発明の第１の実施の形態による撮像装置の動作債民具を示すタイミングチャート図である。
【図７】  本発明の第２の実施の形態による撮像装置の簡単な構成を示す概略図である。
【図８】  一般的な一眼レフカメラの構造を示す概略図である。
【符号の説明】
Ｂ  撮像装置
１  撮像レンズ
２  ペンタプリズム
３  結像面（フィルム）
４  シャッタ板
５  回転ミラー
５ａ  回転軸
６  ファインダ
７ 被写体
８  ラインセンサ
【図１】
0003903413.tif 000002
【図２】
0003903413.tif 000003
【図３】
0003903413.tif 000004
【図４】
0003903413.tif 000005
【図５】
0003903413.tif 000006
【図６】
0003903413.tif 000007
【図７】
0003903413.tif 000008
【図８】
0003903413.tif 000009